(57)【要約】【課題】映像表示画面が６０インチ以上と大型化しても、所定の視聴範囲において、良好な音質の音声を聴くことができるようにすると共に平面型映像表示装置のデザインを損ねないようにすることを目的とする。【解決手段】映像表示画面１０の左側及び右側に夫々スピーカ１７Ｌ及び１７Ｒを設けた大型平面型映像表示装置において、この左側及び右側のスピーカ１７Ｌ及び１７Ｒの放音面ｆをこの映像表示画面１０に対し夫々所定角度θ内側に傾けると共にこの左側及び右側のスピーカ１７Ｌ及び１７Ｒの夫々の前方にこの映像表示画面１０の正面方向を向いた無数の微細孔を有するシート材で構成したスピーカグリル２６Ｌ及び２６Ｒを設けたものである。【選択図】図１
2008153780.tif 000002
【特許請求の範囲】
【請求項１】
映像表示画面の左側及び右側に夫々スピーカを設けた大型平面型映像表示装置において、前記左側及び右側のスピーカの放音面を前記映像表示画面に対し夫々所定角度内側に傾けると共に前記左側及び右側のスピーカの夫々の前方に前記映像表示画面の正面方向を向いた無数の微細孔を有するシート材で構成したスピーカグリルを設けたことを特徴とする大型平面型映像表示装置。
【請求項２】
請求項１記載の大型平面型映像表示装置において、
前記左側及び右側のスピーカの放音面の前記映像表示画面に対し内側に傾ける所定角度を夫々８度及びー８度としたことを特徴とする大型平面型映像表示装置。
【請求項３】
請求項１記載の大型平面型映像表示装置において、
前記左側及び右側のスピーカの前方の無数の微細孔を有するシート材で構成したスピーカグリルをスピーカの音放出開口が形成されたベズルの左側及び右側に被着したことを特徴とする大型平面型映像表示装置。
【請求項４】
請求項１記載の大型平面型映像表示装置において、
前記映像表示画面が６０インチ以上であることを特徴とする大型平面型映像表示装置。
【請求項５】
請求項１記載の大型平面型映像表示装置において、
前記映像表示画面は、液晶ディスプレイパネルであることを特徴とする大型平面型映像表示装置。
【請求項６】
請求項１記載の大型平面型映像表示装置において、
前記左側及び右側のスピーカは、夫々真中にツィータを配し、前記ツィータの上及び下側にスコーカを配したことを特徴とする大型平面型映像表示装置。
【発明の詳細な説明】
【技術分野】
【０００１】
本発明は、液晶ディスプレイパネル、プラズマディスプレイパネル（ＰＤＰ）等を使用した例えば６０インチ以上の映像表示画面を有する大型平面型映像表示装置に関する。
【背景技術】
【０００２】
一般に、液晶ディスプレイパネル、プラズマディスプレイパネル等を使用した平面型映像表示装置が市販されている。
【０００３】
この平面型映像表示装置は、液晶ディスプレイパネル、プラズマディスプレイパネル等より成る映像表示画面の左側及び右側にスピーカを設けていた。
【０００４】
この従来の平面型映像表示装置の左側及び右側のスピーカの前方には合成樹脂により射出成形されたスピーカグリルが配され、この左側及び右側のスピーカより、この映像表示画面の正面に放音するようになされていた（特許文献１参照）。
【０００５】
また、特許文献２に記載された装置は、テレビジョン受像機の左側に、左側ツィータ及び左側ウーファーをテレビジョン受像機と一体的に設け、右側に、右側ツィータ及び右側ウーファーをテレビジョン受像機と一体的に設けている。そして、テレビジョン受像機の左右の双方に、互いに角度θだけ内側に向けて、センタツィータをテレビジョン受像機と一体的に設け、この左右のセンタツィータにより、テレビジョン受像機の中央に配したセンタスピーカと同様の音像を得るようにしている。
【０００６】
また、特許文献３に開示されている音響装置は、画像表示面を有する画像表示装置の音を再生するための装置であるが、画像表示装置の第１側部に配置される第１スピーカ部と、第１側部と反対の位置の画像表示装置の第２側部に配置される第２スピーカ部とが設けられている。そして、第１スピーカ部に配置されるスピーカの第１軸と、第２スピーカ部に配置されるスピーカの第２軸の交点位置と、画像表示面との間の距離を、画像表示面の横幅Ｌの０．５乃至２倍としている。これにより、画像表示装置と画像表示面の使用者の間のエリアにおいてスピーカ部から発生する音を確実に導くことができるようにしている。
【特許文献１】特開２００４−７２２３９号公報
【特許文献２】特開２００４−２４７８９０号公報
【特許文献３】特開平１０−３１３４９３号公報
【発明の開示】
【発明が解決しようとする課題】
【０００７】
上述した特許文献１の平面型映像表示装置において、映像表示画面の大きさが例えば６０インチ以下のときに、映像表示画面の左側及び右側のスピーカが、この映像表示画面の正面方向に放音している場合について説明する。この場合、この平面型映像表示装置の最適視聴位置とされている、正面センターで且つ映像表示画面の高さの３倍の距離の位置において視聴した場合に、音質的には何ら影響がないことが知られている。
しかし、この映像表示画面を更に大型化し、この映像表示画面が６０インチ以上となったときには、最適視聴位置とされている、正面センターで且つ映像表示画面の高さの３倍の距離の位置において、音像が定位しなくなり音質が劣化する不都合があった。
【０００８】
また、スピーカグリル１を合成樹脂で射出成形したときには、このスピーカグリル１の厚さを図１０に示すように、１．５ｍｍ以上する必要があり、このスピーカグリル１に形成した音放出用の孔１ａが音の方向性の案内となる。仮に、スピーカの音を放出する放音面を映像表示画面の内側に傾けたとしても、音の放出方向は、映像表示画面の正面方向となり、最適視聴位置とされている、正面センターで且つ映像表示画面の高さの３倍の距離の位置においても、音像が定位しなくなり音質が劣化する不都合があった。
【０００９】
また、特許文献２に開示のテレビジョン受像機のスピーカ装置においては、左右のセンタツィータがテレビジョン受像機の前面より突出しているので平面型映像表示装置のデザインを損ねる虞がある不都合があった。
【００１０】
また、特許文献３に開示の音響装置も特許文献２と同様に第１及び第２スピーカ部のスピーカが前面より突出しているので平面型映像表示装置のデザインを損ねる虞がある不都合がある。
【００１１】
本発明は、斯かる点に鑑み、映像表示画面が６０インチ以上と大型化しても、所定の視聴範囲において、良好な音質の音声を聴くことができるようにすると共に平面型映像表示装置のデザインを損ねないようにすることを目的とする。
【課題を解決するための手段】
【００１２】
本発明の大型平面型映像表示装置は、映像表示画面の左側及び右側に夫々スピーカを設けた大型平面型映像表示装置において、この左側及び右側のスピーカの放音面をこの映像表示画面に対し夫々所定角度内側に傾けると共にこの左側及び右側のスピーカの夫々の前方にこの映像表示画面の正面方向を向いた無数の微細孔を有するシート材で構成したスピーカグリルを設けたものである。
【００１３】
本発明の大型平面型映像表示装置は、請求項１記載の大型平面型映像表示装置において、この左側及び右側のスピーカの放音面のこの場合の映像表示画面に対し内側に傾ける所定角度を夫々８度及びー８度としたものである。
【００１４】
本発明の大型平面型映像表示装置は、請求項１記載の大型平面型映像表示装置において、この左側及び右側のスピーカの前方の無数の微細孔を有するシート材で構成したスピーカグリルをスピーカの音放出開口が形成されたベズルの左側及び右側に被着したものである。
【００１５】
本発明の大型平面型映像表示装置は、請求項１記載の大型平面型映像表示装置において、この映像表示画面が６０インチ以上であるものである。
【００１６】
本発明の大型平面型映像表示装置は、請求項１記載の大型平面型映像表示装置において、この映像表示画面は、液晶ディスプレイパネルであるものである。
【００１７】
本発明の大型平面型映像表示装置は、請求項１記載の大型平面型映像表示装置において、この左側及び右側のスピーカは、夫々真中にツィータを配し、このツィータの上及び下側にスコーカを配したものである。
【発明の効果】
【００１８】
本発明によれば、左側及び右側のスピーカの放音面を映像表示画面に対し夫々所定角度内側に傾けると共に、この左側及び右側のスピーカの夫々の前方にこの映像表示画面の正面方向を向いた無数の微細孔を有するシート材で構成したスピーカグリルを設けているので、シート材で構成したスピーカグリルは、例えば０．２５ｍｍと極めて薄く、微細孔は音の放出口となるだけで、音の放出方向を規制せず、スピーカの放音面よりの音がそのまま放出されることになる。従って、この大型平面型映像表示装置の前面の所定の視聴範囲において、音像が定位し、良好な音質の音声を聴くことができる。
【００１９】
本発明によれば、映像表示画面の正面方向を向いてシート材で構成したスピーカグリルをベズルの左側及び右側の前面に被着したので、大型平面型映像表示装置の前面における平面型を保ち大型平面型映像表示装置のデザインを損ねることがない。
【発明を実施するための最良の形態】
【００２０】
以下、図面を参照して本発明大型平面型映像表示装置を実施するための最良の形態の例につき説明する。
【００２１】
図１は本例の要部の横断面図、図２は本例による大型平面型映像表示装置の正面図、図３は図２の一部横断面図を示し、図１、図２、図３において、１０は本例の大型平面型映像表示装置本体を構成する例えば７０インチの液晶ディスプレイパネルを示す。
【００２２】
また、図１、図２、図３において、１１は映像表示画面である液晶ディスプレイパネル１０と略同じ大きさの開口を有する板状の矩形の枠体のベズルを示し、このベズル１１は、例えばＡＢＳ（アクリルニトリルブタジエンスチレン）樹脂で射出成形により形成し、その後光沢塗装を施したものである。このベズル１１は、図１、図２、図３に示すようにフロントキャビネット１２に固定される。
【００２３】
また、図１、図２、図３において、１３はこのベズル１１の外周に設けられた透明部材より成る板状の矩形の枠体のセンターキャビネットを示し、このセンターキャビネット１３は、例えば透明なＰＣ（ポリカーボネート）樹脂を射出成形したものである。
【００２４】
このセンターキャビネット１３は、フロントキャビネット１２とリアカバー１４とで挟持するようにして固定したもので、このセンターキャビネット１３の外周をアルミ押出材１５で縁取りするようにする。
【００２５】
斯かる図２に示す如き、大型平面型映像表示装置においては、映像表示画面である液晶ディスプレイパネル１０を透明なセンターキャビネット１３で囲うようにしたので、映像表示画面を視認したときに映像表示画面が宙に浮いたような状態に見え、視聴者にデザイン的に開放的な感覚を与える。
【００２６】
また、図２において、１６は、この大型平面型映像表示装置を支持固定する支持脚である。
【００２７】
本例においては、図１、図３に示すように、映像表示画面である液晶ディスプレイパネル１０の左側及び右側に左側スピーカ１７Ｌ及び右側スピーカ１７Ｒを設ける。
【００２８】
本例においては、この左側スピーカ１７Ｌ及び右側スピーカ１７Ｒとして、合成樹脂を射出成形して形成した夫々縦方向に細長いスピーカボックス１８Ｌ及び１８Ｒ内に、図４に示すように、夫々縦方向に真中に高音用のツィータ１７Ｔを配し、このツィータ１７Ｔの上側及び下側に中低音用のスコーカ１７Ｓ１及び１７Ｓ２を配する。
【００２９】
この場合、このツィータ１７Ｔとこの上側及び下側の中低音用のスコーカ１７Ｓ１及び１７Ｓ２との夫々の放音面が同一となるようにする。図４においては、右側スピーカ１７Ｒの例を示したが、左側スピーカ１７Ｌも同様に構成する。
【００３０】
この縦方向に細長いスピーカボックス１８Ｌ及び１８Ｒを映像表示画面である液晶ディスプレイパネル１０の左側及び右側に取り付ける場合、まず、図１、図５に示すように、夫々のスピーカの外周にフロントキャビネット１２に形成した音案内用の筒状リブの先端を当接するようにする。その後、図５に示すように、スピーカボックス１８Ｒ（１８Ｌ）の一側の所定の位置において、液晶ディスプレイパネル１０のバックシャーシ１９の所定位置に固定したボス２０にゴム等のダンパー材２１を介して固定すると共に、このスピーカボックス１８Ｒ（１８Ｌ）の他側をフロントキャビネット１２の所定位置に植立したボス２２にゴム等のダンパー材２３を介して固定する。
【００３１】
図５において、２４及び２５はこのスピーカボックス１８Ｒ（１８Ｌ）をボス２０及び２２に固定する固定用のビスである。この場合、ワッシャー等を介して固定するようにしても良い。このスピーカボックス１８Ｒ（１８Ｌ）の一側及び他側の固定箇所及び固定数は必要に応じて選定するを可とする。この図５においては右側のスピーカボックス１８Ｒの例を示したが、左側のスピーカボックス１８Ｌも同様に構成する。
【００３２】
このスピーカボックス１８Ｌ及び１８Ｒを固定するに当たり、本例においては、図１に示すように左側スピーカ１７Ｌ及び右側スピーカ１７Ｒの夫々の放音面ｆを映像表示画面である液晶ディスプレイパネル１０の前面に対して夫々所定角度θ内側に傾けるようにする。
【００３３】
本例においては、左側及び右側スピーカ１７Ｌ及び１７Ｒの放音面ｆの映像表示画面である液晶ディスプレイパネル１０の前面に対し内側に傾ける所定角度θを夫々８度及びー８度とする。この映像表示画面である液晶ディスプレイパネル１０の前面に対し内側に傾ける所定角度θは、有効視聴範囲に基づいて決定される。
【００３４】
本例のように、左側スピーカ１７Ｌ及び右側スピーカ１７Ｒの夫々の放音面ｆを映像表示画面である液晶ディスプレイパネル１０の前面に対して夫々所定角度θを夫々８度及びー８度としたときで、液晶ディスプレイパネル１０が７０インチのときは、左側及び右側スピーカ１７Ｌ及び１７Ｒの放音面ｆより放射される音は、図６に示すように、映像表示画面である液晶ディスプレイパネル１０の前面の画面センターの略６ｍの位置で交わり、この交点ａと左側及び右側スピーカ１７Ｌ及び１７Ｒとを結ぶ、図６に斜線で示す三角形の範囲で音像が定位し、この斜線で示す範囲が有効視聴範囲となる。
【００３５】
従って、この大型平面型映像表示装置である７０インチの映像表示画面の最適視聴位置とされている、正面センターの映像表示画面即ち７０インチの液晶ディスプレイパネル１０の高さ略１ｍの３倍の略３ｍの距離の位置ｂはこの有効視聴範囲内にあり、良好な音質の音声を聴くことができる。
【００３６】
また、本例においては、映像表示画面である液晶ディスプレイパネル１０の左側及び右側のベズル１１の左側スピーカ１７Ｌ及び右側スピーカ１７Ｒの対応する部分に図７に示すように、音声を通過する音放出開口１１ａ、１１ｂ、１１ｃを形成する。図７において、１１ａはツィータ１７Ｔよりの音の音放出開口であり、１１ｂ及び１１ｃはスコーカ１７Ｓ１及び１７Ｓ２よりの音の音放出開口である。
【００３７】
図７は右側スピーカ１７Ｒに対応した部分のベズル１１の例を示しているが、左側スピーカ１７Ｌに対応した部分のベズル１１も同様に構成する。
【００３８】
図１、図２、図３において、２６Ｌ及び２６Ｒは映像表示画面である液晶ディスプレイパネル１０の左側及び右側スピーカ１７Ｌ及び１７Ｒの夫々の前方にこの映像表示画面である液晶ディスプレイパネル１０の正面方向を向いたスピーカグリルである。
【００３９】
本例においては、このスピーカグリル２６Ｌ及び２６Ｒを図１、図２、図８、図９に示すように、例えばＰＥＴ（ポリエチレンテレフタレート）樹脂のシート材で形成し、この映像表示画面である液晶ディスプレイパネル１０の高さ程度の細長矩形状としたもので、厚さは極めて薄い例えば０．２５ｍｍとし、このシート材に無数の微細孔２６ａを設けたものである。このシート材の無数の微細孔２６ａを音の通過孔とするものである。
【００４０】
本例によるスピーカグリル２６Ｌ及び２６Ｒは、図１、図２、図３、図９に示すように、ベズル１１の左側及び右側の前面にこのスピーカグリル２６Ｌ及び２６Ｒと略同じ幅及び長さで厚み程度の段差部１１ｄを形成している。そして、このベズル１１の左側及び右側の前面の段差部１１ｄに、このベズル１１の左側及び右側の音声を通過する音放出開口１１ａ、１１ｂ、１１ｃを除いて、例えば黒色の両面接着テープでこのスピーカグリル２６Ｌ及び２６Ｒを接着固定している。その他は従来と同様に構成する。
【００４１】
本例によれば、左側及び右側のスピーカ１７Ｌ及び１７Ｒの放音面ｆを、映像表示画面である液晶ディスプレイパネル１０に対し夫々所定角度θ内側に傾けている。そして、同時に、液晶ディスプレイパネル１０に対して、上記左側及び右側のスピーカ１７Ｌ及び１７Ｒの夫々の前方に、液晶ディスプレイパネル１０の正面方向を向いた無数の微細孔２６ａを有するシート材で構成したスピーカグリル２６Ｌ及び２６Ｒを設けている。この結果、シート材で構成したスピーカグリル２６Ｌ及び２６Ｒは、例えば０．２５ｍｍと極めて薄く、微細孔２６ａは音の放出口となるだけで、音の放出方向を規制しないので、スピーカの放音面からの音をそのまま放出することができる。
【００４２】
従って、左側及び右側スピーカ１７Ｌ及び１７Ｒの放音面ｆより放射される音は、図６に示すように、映像表示画面である液晶ディスプレイパネル１０の前面の画面センターの位置で交わり、この交点ａと左側及び右側スピーカ１７Ｌ及び１７Ｒとを結ぶ、図６に斜線で示す三角形の範囲で音像が定位し、この斜線で示す範囲が有効視聴範囲となる。
【００４３】
本例において、左側スピーカ１７Ｌ及び右側スピーカ１７Ｒの夫々の放音面ｆを、映像表示画面である液晶ディスプレイパネル１０の前面に対する夫々所定角度θを夫々８度及びマイナス８度とした場合を考える。この場合、液晶ディスプレイパネル１０が７０インチのときは、左側及び右側スピーカ１７Ｌ及び１７Ｒの放音面ｆより放射される音は、図６に示すように、液晶ディスプレイパネル１０の前面の画面センターの略６ｍの位置で交わる。そして、この交点ａと左側及び右側スピーカ１７Ｌ及び１７Ｒとを結ぶ、図６に斜線で示す三角形の範囲で音像が定位し、この斜線で示す範囲が有効視聴範囲となる。
【００４４】
従って、この大型平面型映像表示装置である７０インチの映像表示画面の最適視聴位置とされている、正面センターの映像表示画面即ち７０インチの液晶ディスプレイパネル１０の高さ略１ｍの３倍の略３ｍの距離の位置ｂはこの有効視聴範囲内にあり、良好な音質の音声を聴くことができる。
【００４５】
また、本例によれば、映像表示画面である液晶ディスプレイパネル１０の正面方向を向いてシート材で構成したスピーカグリル２６Ｌ及び２６Ｒをベズル１１の左側及び右側の前面の段差部１１ｄに被着したので、大型平面型映像表示装置の前面における平面型を保ち大型平面型映像表示装置のデザインを損ねることがない。
【００４６】
尚、上述例では、左側及び右側スピーカ１７Ｌ及び１７Ｒとして、縦方向に真中に高音用のツィータ１７Ｔを配し、このツィータ１７Ｔの上側及び下側に中低音用のスコーカ１７Ｓ１及び１７Ｓ２を配したが、この代わりに要望に応じ種々の構成が採り得ることは勿論である。
【００４７】
また、本発明は、上述例に限ることなく本発明の要旨を逸脱することなく、その他種々の構成が採り得ることは勿論である。
【図面の簡単な説明】
【００４８】
【図１】本発明大型平面型映像表示装置を実施するための最良の形態の例の要部の横断面図である。
【図２】本発明大型平面型映像表示装置を実施するための最良の形態の例の正面図である。
【図３】本発明大型平面型映像表示装置を実施するための最良の形態の例の一部切欠き上面図である。
【図４】スピーカの配置の例を示す正面図である。
【図５】スピーカボックスの取り付け例を示す断面図である。
【図６】本発明の説明に供する線図である。
【図７】ベズルの要部の例を示す正面図である。
【図８】スピーカグリルの要部の例を示す正面図である。
【図９】スピーカグリルの要部の例を示す断面図である。
【図１０】従来のスピーカグリルの要部の例を示す断面図である。
【符号の説明】
【００４９】
１０…液晶ディスプレイパネル、１１…ベズル、１１ａ、１１ｂ、１１ｃ…音放出開口、１１ｄ…段差部、１２…フロントキャビネット、１３…センターキャビネット、１４…リアカバー、１５…アルミ押出材、１６…支持脚、１７Ｌ…左側スピーカ、１７Ｒ…右側スピーカ、１８Ｌ、１８Ｒ…スピーカボックス、１９…バックシャーシ、２０、２２…ボス、２６Ｌ、２６Ｒ…スピーカグリル
【図１】
2008153780.tif 000003
【図２】
2008153780.tif 000004
【図３】
2008153780.tif 000005
【図４】
2008153780.tif 000006
【図５】
2008153780.tif 000007
【図６】
2008153780.tif 000008
【図７】
2008153780.tif 000009
【図８】
2008153780.tif 000010
【図９】
2008153780.tif 000011
【図１０】
2008153780.tif 000012